(57)【特許請求の範囲】
【請求項１】
ＶＨＦ帯テレビジョン信号を受信するＶＨＦチューナ部とＵＨＦ帯テレビジョン信号を受信するＵＨＦチューナ部と帯域切替器とを備え、前記ＶＨＦチューナ部は、少なくとも、ＶＨＦ帯用混合器及びＶＨＦ帯用局部発振器からなるＶＨＦ帯用周波数変換器と、前記ＶＨＦ帯用混合器の直前に接続配置したＶＨＦ帯テレビジョン信号の通過・阻止を切替える第１半導体スイッチ回路とを有し、前記ＵＨＦチューナ部は、少なくとも、ＵＨＦ帯用混合器及びＵＨＦ帯用局部発振器からなるＵＨＦ帯用周波数変換器と、ＵＨＦ帯用混合器の直前に接続配置したＵＨＦ帯テレビジョン信号の通過・阻止を切替える第２半導体スイッチ回路とを有し、前記帯域切替器は、ＶＨＦ帯テレビジョン信号の選局時に、ＶＨＦ帯切替電圧を前記ＶＨＦ帯用周波数変換器と前記第１半導体スイッチ回路の切替電圧入力端子に供給し、それにより前記ＶＨＦ帯用周波数変換器を動作状態、前記第１半導体スイッチ回路を信号通過状態にそれぞれ切替え、ＵＨＦ帯テレビジョン信号の選局時に、ＵＨＦ帯切替電圧を前記ＵＨＦ帯用周波数変換器と前記第２半導体スイッチ回路の切替電圧入力端子に供給し、それにより前記ＵＨＦ帯用周波数変換器を動作状態、前記第２半導体スイッチ回路を信号通過状態にそれぞれ切替えることを特徴とするテレビジョン信号受信用チューナ。
【請求項２】
前記第１半導体スイッチ回路及び前記第２半導体スイッチ回路は、信号伝送路によって結合された信号入力端子及び信号出力端子と、対応する切替電圧が供給される切替電圧入力端子と、電源電圧が供給される電源端子と、前記信号伝送路に直列接続された半導体スイッチ素子とを備え、前記半導体スイッチ素子は、前記切替電圧入力端子に切替電圧が供給されたとき、一つの電極と他の一つの電極間に切替電圧と電源電圧の分圧電圧とがそれぞれ供給されて導通状態になり、それにより信号通過状態に切替えられることを特徴とする請求項１記載のテレビジョン信号受信用チューナ。
【請求項３】
前記第１半導体スイッチ回路及び前記第２半導体スイッチ回路は、信号伝送路によって結合された信号入力端子及び信号出力端子と、対応する切替電圧が供給される切替電圧入力端子と、電源電圧が供給される電源端子と、前記信号伝送路と接地間に分路接続された半導体スイッチ素子とを備え、前記半導体スイッチ素子は、前記切替電圧入力端子に切替電圧が供給されたとき、一つの電極と他の一つの電極間に切替電圧と電源電圧の分圧電圧とがそれぞれ供給されて非導通状態になり、それにより信号通過状態に切替えられることを特徴とする請求項１記載のテレビジョン信号受信用チューナ。
【請求項４】
前記第１半導体スイッチ回路及び前記第２半導体スイッチ回路は、信号伝送路によって結合された信号入力端子及び信号出力端子と、対応する切替電圧が供給される切替電圧入力端子と、電源電圧が供給される電源端子と、前記信号伝送路に直列接続された第１半導体スイッチ素子と、前記信号伝送路と接地間に分路接続された第２半導体スイッチ素子とを備え、前記切替電圧入力端子に切替電圧が供給されると、前記第１半導体スイッチ素子は、一つの電極と他の一つの電極間に前記切替電圧と電源電圧の分圧電圧とが供給されて導通状態になり、前記第２半導体スイッチ素子は、一つの電極と他の一つの電極間に切替電圧と電源電圧の分圧電圧とが供給されて非導通状態になり、それにより信号通過状態に切替えられることを特徴とする請求項１記載のテレビジョン信号受信用チューナ。
【発明の詳細な説明】
【０００１】
【発明の属する技術分野】
本発明はテレビジョン信号受信用チューナに関し、特にＶＨＦ帯とＵＨＦ帯の二つの周波数帯に対応しているテレビジョン信号受信用チューナであって、テレビジョン信号受信用チューナ内の局部発振器の発振信号の漏洩を防止するテレビジョン信号受信用チューナに関する。
【０００２】
【従来の技術】
従来のテレビジョン信号受信用チューナを図６に示す。このテレビジョン受信チューナは、ＶＨＦ帯用テレビジョン信号受信用チューナとＵＨＦ帯用テレビジョン信号受信用チューナとを一体構造としたＶ・Ｕ一体型テレビジョン信号受信用チューナであり、ＶＨＦ帯用入力端子３１と、ＶＨＦ帯用高周波回路部３２と、ＶＨＦ帯用周波数変換器３３と、ＵＨＦ帯用入力端子３４と、ＵＨＦ帯用高周波回路部３５と、ＵＨＦ帯用周波数変換器３６と、中間周波増幅器３７と、バンド切替器３８と、チューナの出力端子３９とを有している。ＶＨＦ帯用周波数変換器３３は、ＶＨＦ帯用混合器４０と、ＶＨＦ帯用局部発振器４１とを有し、ＵＨＦ帯用周波数変換器３６は、ＵＨＦ帯用混合器４２と、ＵＨＦ帯用局部発振器４３とを有している。
【０００３】
ＶＨＦ帯用高周波回路部３２は、高周波増幅器と同調回路とフィルタ（いずれも図示せず）等とを有し、受信するＶＨＦ帯のテレビジョン信号を選択し、増幅する。
【０００４】
同様に、ＵＨＦ帯用高周波回路部３５は、高周波増幅器と同調回路とフィルタ（いずれも図示せず）等とが有し、受信するＵＨＦ帯のテレビジョン信号を選択し、増幅する。
【０００５】
バンド切替器３８は、ＶＨＦ帯用周波数変換器３３とＵＨＦ帯用周波数変換器３６とに接続され、受信するバンドに応じて切替電圧をＶＨＦ帯用周波数変換器３３とＵＨＦ帯用周波数変換器３６とのどちらか一方に切替電圧を供給する。ＶＨＦ帯のテレビジョン信号を受信する場合には、第一の制御端子４４のみに切替電圧が発生し、ＶＨＦ帯用周波数変換器３３に制御電圧が供給され、ＶＨＦ帯用周波数変換器３３が動作状態となり、ＵＨＦ帯用周波数変換器３６は非動作状態となる。ＵＨＦ帯のテレビジョン信号を受信する場合には、第二の制御端子４５のみに切替電圧が発生し、ＵＨＦ帯用周波数変換器３６に切替電圧が供給され、ＵＨＦ帯用周波数変換器３６が動作状態となり、ＶＨＦ帯用周波数変換器３３が非動作状態となる。
【０００６】
ＶＨＦ帯のテレビジョン信号受信時には、アンテナ（図示せず）で受信されたＶＨＦ帯のテレビジョン信号が、ＶＨＦ帯用高周波回路部３２を通過してから、ＶＨＦ帯用周波数変換器３３内のＶＨＦ帯用混合回路４０とＶＨＦ帯用局部発振器４１とによって周波数変換され、中間周波信号ＩＦとして中間周波増幅器３７で増幅され、出力端子３９から出力される。出力端子３９から出力された中間周波信号ＩＦは、検波回路（図示せず）で検波される。
【０００７】
一方、ＵＨＦ帯のテレビジョン信号受信時には、アンテナ（図示せず）で受信されたＵＨＦ帯のテレビジョン信号が、ＵＨＦ帯用高周波回路部３５を通過してから、ＵＨＦ帯用周波数変換器３６内のＵＨＦ帯用混合回路４２とＵＨＦ帯用局部発振器４３とによって周波数変換され、中間周波信号ＩＦとして中間周波増幅器３７で増幅され、出力端子３９から出力される。出力端子３９から出力された中間周波信号ＩＦは、検波回路（図示せず）で検波される。
【０００８】
【発明が解決しようとする課題】
ところで、上記従来のＶ・Ｕ一体型テレビジョン信号受信用チューナでは、各回路間の距離が近接しているため、ＶＨＦ帯用周波数変換器３３とＵＨＦ帯用周波数変換器３６との間のアイソレーションが十分に取れない。このため、動作側の周波数変換器内の局部発振器から発生した発振信号が、非動作側の周波数変換器へ漏洩し、アンテナを通じて空中へ不要輻射として放射され、他の受信機等に妨害を与える原因になっていた。
【０００９】
例えば、ＶＨＦテレビジョン信号受信時に、ＶＨＦ帯用局部発振器４１から発生する発振信号がＵＨＦ帯用周波数変換器３６へ漏洩し、その発振信号がＵＨＦ帯用高周波回路部３５、アンテナを通じて空中に放射される。また、ＵＨＦテレビジョン信号受信時に、ＵＨＦ帯用局部発振器４３から発生する発振信号がＶＨＦ帯用周波数変換器３３へ漏洩し、その発振信号がＶＨＦ帯用高周波回路部３２，アンテナを通じて空中に放射される。
【００１０】
そこで、本発明は、動作側の局部発振器の発振信号が、非動作側の周波数変換器に漏洩し、アンテナを通じて空中に不要輻射として放射されないようにして、他の受信機等に妨害を与えることを防ぐテレビジョン信号受信用チューナを提供することにある。
【００１１】
【課題を解決するための手段】
以上の課題を解決するため、本発明のテレビジョン信号受信用チューナは、ＶＨＦ帯テレビジョン信号を受信するＶＨＦチューナ部とＵＨＦ帯テレビジョン信号を受信するＵＨＦチューナ部と帯域切替器とを備え、前記ＶＨＦチューナ部は、少なくとも、ＶＨＦ帯用混合器及びＶＨＦ帯用局部発振器からなるＶＨＦ帯用周波数変換器と、前記ＶＨＦ帯用混合器の直前に接続配置したＶＨＦ帯テレビジョン信号の通過・阻止を切替える第１半導体スイッチ回路とを有し、前記ＵＨＦチューナ部は、少なくとも、ＵＨＦ帯用混合器及びＵＨＦ帯用局部発振器からなるＵＨＦ帯用周波数変換器と、ＵＨＦ帯用混合器の直前に接続配置したＵＨＦ帯テレビジョン信号の通過・阻止を切替える第２半導体スイッチ回路とを有し、前記帯域切替器は、ＶＨＦ帯テレビジョン信号の選局時に、ＶＨＦ帯切替電圧を前記ＶＨＦ帯用周波数変換器と前記第１半導体スイッチ回路の切替電圧入力端子に供給し、それにより前記ＶＨＦ帯用周波数変換器を動作状態、前記第１半導体スイッチ回路を信号通過状態にそれぞれ切替え、ＵＨＦ帯テレビジョン信号の選局時に、ＵＨＦ帯切替電圧を前記ＵＨＦ帯用周波数変換器と前記第２半導体スイッチ回路の切替電圧入力端子に供給し、それにより前記ＵＨＦ帯用周波数変換器を動作状態、前記第２半導体スイッチ回路を信号通過状態にそれぞれ切替えるものである。
【００１２】
この場合、本発明のテレビジョン信号受信用チューナにおける前記第１半導体スイッチ回路及び前記第２半導体スイッチ回路は、信号伝送路によって結合された信号入力端子及び信号出力端子と、対応する切替電圧が供給される切替電圧入力端子と、電源電圧が供給される電源端子と、前記信号伝送路に直列接続された半導体スイッチ素子とを備え、前記半導体スイッチ素子は、前記切替電圧入力端子に切替電圧が供給されたとき、一つの電極と他の一つの電極間に切替電圧と電源電圧の分圧電圧とがそれぞれ供給されて導通状態になり、それにより信号通過状態に切替えられるものである。
【００１３】
また、本発明のテレビジョン信号受信用チューナにおける前記第１半導体スイッチ回路及び前記第２半導体スイッチ回路は、信号伝送路によって結合された信号入力端子及び信号出力端子と、対応する切替電圧が供給される切替電圧入力端子と、電源電圧が供給される電源端子と、前記信号伝送路と接地間に分路接続された半導体スイッチ素子とを備え、前記半導体スイッチ素子は、前記切替電圧入力端子に切替電圧が供給されたとき、一つの電極と他の一つの電極間に切替電圧と電源電圧の分圧電圧とがそれぞれ供給されて非導通状態になり、それにより信号通過状態に切替えられるものである。
【００１４】
また、本発明のテレビジョン信号受信用チューナにおける前記第１半導体スイッチ回路及び前記第２半導体スイッチ回路は、信号伝送路によって結合された信号入力端子及び信号出力端子と、対応する切替電圧が供給される切替電圧入力端子と、電源電圧が供給される電源端子と、前記信号伝送路に直列接続された第１半導体スイッチ素子と、前記信号伝送路と接地間に分路接続された第２半導体スイッチ素子とを備え、前記切替電圧入力端子に切替電圧が供給されると、前記第１半導体スイッチ素子は、一つの電極と他の一つの電極間に前記切替電圧と電源電圧の分圧電圧とが供給されて導通状態になり、前記第２半導体スイッチ素子は、一つの電極と他の一つの電極間に切替電圧と電源電圧の分圧電圧とが供給されて非導通状態になり、それにより信号通過状態に切替えられるものである。
【００１７】
【発明の実施の形態】
以下、本発明のテレビジョン信号受信用チューナを図１乃至図５を参照して説明する。ここで、図１は本発明のテレビジョン信号受信用チューナのブロック構成図、図２乃至図５は本発明のテレビジョン信号受信用チューナに用いられるスイッチ回路を説明する回路図である。
【００１８】
まず、図１において、このテレビジョン受信チューナは、ＶＨＦ帯用テレビジョン信号受信用チューナとＵＨＦ帯用テレビジョン信号受信用チューナとを一体構造としたＶ・Ｕ一体型テレビジョン信号受信用チューナであり、ＶＨＦ帯用入力端子１と、ＶＨＦ帯用高周波回路部２と、第一のスイッチ回路３と、ＶＨＦ帯用周波数変換器４と、ＵＨＦ帯用入力端子５と、ＵＨＦ帯用高周波回路部６と、第二のスイッチ回路７と、ＵＨＦ帯用周波数変換器８と、中間周波増幅器９と、バンド切替器１０と、出力端子１１とを有している。ＶＨＦ帯用周波数変換器４は、ＶＨＦ帯用混合器１２とＶＨＦ帯用局部発振器１３とを有し、ＵＨＦ帯用周波数変換器８は、ＵＨＦ帯用混合器１４とＵＨＦ帯用局部発振器１５とを有している。
【００１９】
ＶＨＦ帯用高周波回路部２は、高周波増幅器と同調回路とフィルタ（いずれも図示せず）等を有し、受信するＶＨＦ帯のテレビジョン信号を選択し、増幅する。
【００２０】
同様に、ＵＨＦ帯用高周波回路部６は、高周波増幅器と同調回路とフィルタ（いずれも図示せず）等を有し、受信するＵＨＦ帯のテレビジョン信号を選択し、増幅する。
【００２１】
テレビジョン信号受信用チューナは小型化のために集積回路化され、第一のスイッチ回路３と、ＶＨＦ帯用周波数変換器４と、第二のスイッチ回路７と、ＵＨＦ帯用周波数変換器８と、中間周波増幅器９と、バンド切替器１０等とは、集積回路内に一体に形成される。ＶＨＦ帯用高周波回路部２とＵＨＦ用高周波回路部６とは、フィルタ有しているため集積回路化が困難であり、集積回路外に構成される。
【００２２】
バンド切替器１０は、第一のスイッチ回路３とＶＨＦ帯用周波数変換器４と第二のスイッチ回路７とＵＨＦ帯用周波数変換器８とに接続され、受信するバンドに応じて切替電圧を供給する。ＶＨＦ帯のテレビジョン信号を受信する場合には、第一の制御端子１６のみに切替電圧が発生し、ＶＨＦ帯用周波数変換器４に切替電圧が供給されＶＨＦ帯用周波数変換器４が動作状態となる。同時に、第一のスイッチ回路３に切替電圧が供給され、ＶＨＦ帯用高周波回路部２から出力されるＶＨＦ帯のテレビジョン信号が、第一のスイッチ回路３を通過してＶＨＦ帯用周波数変換器４に入力できる状態とする。また、この場合は、第二の制御端子１７に切替電圧を発生させず、ＵＨＦ帯用の周波数変換器８を不動作とし、また、ＵＨＦ帯用高周波回路部６を漏洩したＵＨＦ帯のテレビジョン信号が第二のスイッチ回路７を通過できない状態にする。
【００２３】
同様に、ＵＨＦ帯のテレビジョン信号を受信する場合には、第二の制御端子１７のみに切替電圧が発生し、ＵＨＦ帯用周波数変換器８に切替電圧が供給されＵＨＦ帯用周波数変換器８が動作状態となる。同時に、第二のスイッチ回路７に切替電圧が供給され、ＵＨＦ帯用高周波回路部６から出力されるＵＨＦ帯のテレビジョン信号が第二のスイッチ回路７を通過してＵＨＦ帯用周波数変換器８に入力できる状態とする。また、この場合は、第一の制御端子１６に切替電圧が発生させず、ＶＨＦ帯用周波数変換器４を不動作とし、ＶＨＦ帯用高周波回路部２を漏洩したＶＨＦ帯のテレビジョン信号が第一のスイッチ回路３を通過できない状態にする。
【００２４】
ＶＨＦ帯のテレビジョン信号受信時には、アンテナ（図示せず）で受信されたＶＨＦ帯のテレビジョン信号が、ＶＨＦ帯用高周波回路部２を通過してから、第一のスイッチ回路３を通り、ＶＨＦ帯用周波数変換器４内のＶＨＦ帯用混合器１２とＶＨＦ帯用局部発振器１３とによって周波数変換され、中間周波信号ＩＦとして中間周波増幅器９で増幅され、出力端子１１から出力される。出力端子１１から出力された中間周波信号ＩＦは、検波回路（図示せず）で検波される。
【００２５】
このとき、第二のスイッチ回路７は、信号が通過できない状態となっているので、ＶＨＦ帯用の局部発振器１３の発振信号がＵＨＦ帯用周波数変換器８に漏洩しても、第二のスイッチ回路７によって遮断されるので、アンテナまで漏れず、不要輻射が低減される。
【００２６】
ＵＨＦ帯のテレビジョン信号受信時には、アンテナ（図示せず）で受信されたＵＨＦ帯のテレビジョン信号が、ＵＨＦ帯用高周波回路部６を通過してから、第二のスイッチ回路７を通り、ＵＨＦ帯用周波数変換器８内のＵＨＦ帯用混合器１４とＵＨＦ帯用局部発振器１５とによって周波数変換され、中間周波信号ＩＦとして中間周波増幅器９で増幅され、出力端子１１から出力される。出力端子１１から出力された中間周波信号ＩＦは、検波回路（図示せず）で検波される。
【００２７】
このとき、第一のスイッチ回路３は、信号が通過できない状態となっているので、ＵＨＦ帯用の局部発振器１５の発振信号がＶＨＦ帯用周波数変換器４に漏洩しても、第一のスイッチ回路３によって遮断されるので、アンテナまで漏れず、不要輻射が低減される。
【００２８】
次に、第一のスイッチ回路３の具体的な構成例を図２乃至図４に従って詳述する。尚、第二のスイッチ回路７は第一のスイッチ回路３と同様の構成となるため、説明を省略する。図２に示すスイッチ回路は信号をアースへシャントするスイッチトランジスタを備えた構成となっており、入力端子１８と出力端子１９とを接続する伝送線路２２とグランドとの間に、ＰＮＰ型のスイッチトランジスタ２３を接続して伝送線路上の信号をアースへシャントするようにしている。トランジスタ２３のエミッタには、電源供給端子２０を介して電源電圧が供給され、ベースには、切替電圧入力端子２１を介して切替電圧が供給される。
【００２９】
以上のような構成において、まず、ＶＨＦ帯のテレビジョン信号を受信するときには、バンド切替器１０から切替電圧入力端子２１を介してトランジスタ２３のベースに切替電圧が供給される。すると、トランジスタ２３のエミッタ−コレクタ間が電気的に切断され、入力端子１８に入力されたＶＨＦ帯のテレビジョン信号は、伝送線路２２を通って、出力端子１９から出力される。
【００３０】
次に、ＵＨＦ帯のテレビジョン信号を受信するときには、バンド切替器１０から切替電圧入力端子２１に切替電圧が供給されない。このため、トランジスタ２３のエミッタ−コレクタ間が導通し、伝送線路２２が接地され、伝送線路２２を信号が通過できなくなる。従って、ＵＨＦ帯用局部発振器１５の発振信号がＶＨＦ帯用周波数変換器４を介して出力端子１９に入力されても、入力端子１８には伝わらず、ＵＨＦ帯用局部発振器１５の発振信号がアンテナから空中へ漏洩することを防げる。
【００３１】
図３は、スイッチダイオードによって入力端子１８と出力端子１９とを導通又は非導通に切り替える構成となっており、入力端子１８と出力端子１９とを接続する伝送線路２２の途中に、スイッチダイオード２４が設けられている。そして、スイッチダイオード２４のカソードに電源供給端子２０から電源電圧が供給され、アノードに切替電圧入力端子２１から切替電圧が供給される。
【００３２】
以上のような構成において、まず、ＶＨＦ帯のテレビジョン信号を受信するときには、バンド切替器１０から切替電圧入力端子２１を介してスイッチダイオード２４のアノードに切替電圧が供給される。すると、スイッチダイオード２４が導通状態となり、入力端子１８から入力されるテレビジョン信号は、伝送線路２２を通って、出力端子１９へ通過する。
【００３３】
次に、ＵＨＦ帯のテレビジョン信号を受信するときには、バンド切替器１０から切替電圧入力端子２１に切替電圧が供給されない。このため、スイッチダイオード２４は、非導通状態となり、伝送線路２２を信号が通過できなくなる。従って、ＵＨＦ帯用局部発振器１５の発振信号がＶＨＦ帯用周波数変換器４を介して出力端子１９に入力されても、入力端子１８には伝わらず、ＵＨＦ帯用局部発振器１５の発振信号がアンテナから空中へ漏洩することを防げる。
【００３４】
図４は、信号をアースへシャントするスイッチトランジスタと、入力端子と出力端子との間を導通又は非導通に切り替えるスイッチダイオードとを備えた構成となっている。入力端子１８と出力端子１９とを接続する伝送線路２２の途中にスイッチダイオード２５が挿入され、また伝送線路２２とグランドとの間にＰＮＰ型トランジスタ２６をが接続される。そして、スイッチダイオード２５とスイッチトランジスタ２６に電源供給端子２０から電源電圧が供給され、切替電圧入力端子２１から切替電圧が供給される。
【００３５】
以上のような構成において、まず、ＶＨＦ帯のテレビジョン信号を受信するときには、バンド切替器１０から切替電圧入力端子２１を介してスイッチダイオード２５のアノードとトランジスタ２６のベースとに切替電圧が供給され、スイッチダイオード２５が導通状態となると共に、スイッチトランジスタ２６のエミッタ−コレクタ間が非導通となる。この結果、入力端子１８に入力されたテレビジョン信号は、伝送線路２２を通って、出力端子１９から出力される。
【００３６】
次に、ＵＨＦ帯のテレビジョン信号を受信するときには、バンド切替器１０から切替電圧入力端子２１に切替電圧が供給されない。このため、スイッチダイオード２５が非導通状態となると共に、スイッチトランジスタ２６のエミッタ−コレクタ間が導通し、伝送線路２２が接地される。従って、ＵＨＦ帯用局部発振器１５の発振信号がＶＨＦ帯用周波数変換器４を介して出力端子１９に入力されても、入力端子１８には伝わらず、ＵＨＦ帯用局部発振器１５の発振信号がアンテナから空中へ漏洩することを防げる。
【００３７】
図５は、信号をアースへシャントするスイッチダイオードと入力端子と出力端子との間をスイッチトランジスタによって導通又は非導通に切り替える構成となっている。入力端子１８と出力端子１９とを接続する伝送線路２２の途中にＮＰＮ型スイッチトランジスタ２７が挿入され、また伝送線路２２とグランドとの間にスイッチダイオードが接続されている。そして、スイッチトランジスタ２７とスイッチダイオード２８に電源供給端子２０から電源電圧が供給され、切替電圧入力端子２１から切替電圧が供給される。
【００３８】
以上のような構成において、まず、ＶＨＦ帯のテレビジョン信号を受信するときには、バンド切替器１０から切替電圧入力端子２１を介してトランジスタ２７のベースとスイッチダイオード２８のカソードに切替電圧が供給され、トランジスタ２７が導通すると共に、スイッチダイオード２８が非導通となる。この結果、入力端子１８に入力されたテレビジョン信号は、伝送線路２２を通って、出力端子１９から出力される。
【００３９】
次に、ＵＨＦ帯のテレビジョン信号を受信するときには、バンド切替器１０から切替電圧入力端子２１に切替電圧が供給されない。このため、トランジスタ２７が非導通状態となると共に、スイッチダイオード２８が導通状態となり、伝送線路２２が接地される。従って、ＵＨＦ帯用局部発振器１５の発振信号がＶＨＦ帯用周波数変換器４を介して出力端子１９に入力されても、入力端子１８には伝わらず、ＵＨＦ帯用局部発振器１５の発振信号がアンテナから空中へ漏洩することを防げる。
【００４０】
図２乃至図５に記載されたスイッチ回路の図示例は、いずれも局部発振器の発振信号がアンテナから空中へ漏洩することを防ぐ効果があるが、図４又は図５に図示されたスイッチ回路は、伝送線路２２を切断すると共に接地しているので、図２や図３に図示されたスイッチ回路よりも、不要輻射の発生を更に低く抑えることができる。
【００４１】
尚、スイッチ回路は高周波回路部の前段に設けても良いが、高周波回路部はフィルタを有しているため集積回路化が困難であり、スイッチ回路を高周波回路部の後段に設け、周波数変換器と一体にスイッチ回路を集積化した方が回路を小型化し易い。
【００４２】
尚、本発明のテレビジョン信号受信用チュ−ナは、上述の図示例にのみ限定されるものではなく、本発明の要旨を逸脱しない範囲内において種々変更を加え得ることは勿論である。
【００４３】
【発明の効果】
以上のように本発明のテレビジョン信号受信用チューナによれば、ＶＨＦチューナ部のＶＨＦ帯用混合器の直前にＶＨＦ帯テレビジョン信号の通過・阻止を切替る第１半導体スイッチ回路を、ＵＨＦチューナ部のＵＨＦ帯用混合器の直前にＵＨＦ帯テレビジョン信号の通過・阻止を切替る第２半導体スイッチ回路とを接続配置し、ＶＨＦ帯テレビジョン信号の選局時に、ＶＨＦ帯用周波数変換器を動作状態、第１半導体スイッチ回路を信号通過状態にそれぞれ切替え、一方、ＵＨＦ帯テレビジョン信号の選局時に、ＵＨＦ帯用周波数変換器を動作状態、第２半導体スイッチ回路を信号通過状態にそれぞれ切替るようにしたので、動作側の周波数変換器内の局部発振器から発生した発振信号が、非動作側の周波数変換器に漏洩したとしても、その漏洩発振信号は信号阻止状態に切替られている半導体スイッチ回路によって阻止され、アンテナを通して空中に放射されず、不要輻射の発生を抑えることができる。
【００４４】
また、本発明のテレビジョン信号受信用チューナによれば、ＶＨＦ帯用混合器の直前に第１半導体スイッチ回路を接続配置し、同時に、ＵＨＦ帯用混合器の直前に第２半導体スイッチ回路を接続配置しているので、不要輻射の原因となる発振信号を、発生源に最も近いところで遮断できるので不要輻射を効果的に削減できるとともに、第１及び第２半導体スイッチ回路を対応する周波数変換器等と一体にＩＣ化でき、回路を小型化し易い。
【００４６】
また、本発明のテレビジョン信号受信用チューナによれば、第１及び第２半導体スイッチ回路における半導体スイッチ素子を、スイッチトランジスタ又はスイッチダイオードを用いて構成したので、半導体スイッチ回路を小型化できチューナの容積を増大することなく不要輻射の発生を抑えることができる。
【００４７】
また、本発明のテレビジョン信号受信用チューナによれば、第１及び第２半導体スイッチ回路を阻止状態にする場合、信号伝送路に直列接続した第１半導体スイッチ素子を非導通にするとともに信号伝送路に分路接続した第２半導体スイッチ素子を導通するようにしているので、不要輻射の発生を更に低減させることができる。
【図面の簡単な説明】
【図１】本発明のテレビジョン信号受信用チューナのブロック構成図である。
【図２】本発明のテレビジョン信号受信用チューナに用いられるスイッチ回路の回路図である。
【図３】本発明のテレビジョン信号受信用チューナに用いられるスイッチ回路の回路図である。
【図４】本発明のテレビジョン信号受信用チューナに用いられるスイッチ回路の回路図である。
【図５】本発明のテレビジョン信号受信用チューナに用いられるスイッチ回路の回路図である。
【図６】従来のテレビジョン信号受信用チューナのブロック構成図である。
【符号の説明】
１  ＶＨＦ帯用入力端子
２  ＶＨＦ帯用高周波回路部
３  第一のスイッチ回路
４  ＶＨＦ帯用周波数変換器
５  ＵＨＦ帯用入力端子
６  ＵＨＦ帯用高周波回路部
７  第二のスイッチ回路
８  ＵＨＦ帯用周波数変換器
９  中間周波増幅器
１０  バンド切替器
１１  出力端子
１２  ＶＨＦ帯用混合器
１３  ＶＨＦ帯用局部発振器
１４  ＵＨＦ帯用混合器
１５  ＵＨＦ帯用局部発振器
１６  第一の端子
１７  第二の端子
１８  第一のスイッチ回路の入力端子
１９  第一のスイッチ回路の出力端子
２０  電源供給端子
２１  切替電圧入力端子
２３、２６、２７  スイッチトランジスタ
２４、２５、２８  スイッチダイオード
【図１】
0003986195.tif 000002
【図２】
0003986195.tif 000003
【図３】
0003986195.tif 000004
【図４】
0003986195.tif 000005
【図５】
0003986195.tif 000006
【図６】
0003986195.tif 000007